(57)【要約】【課題】複雑な形状の電磁コイルが必要な場合複雑に巻くことが出来なく、一般的な巻線後加熱等で電磁コイルを柔軟にして要求形状に仕上げる為工程の複雑さと寸法精度がでにくく品質の確保のみならず安価に出来なく実用に適さなかった。【解決手段】複雑な任意形状の電磁コイルを安価で品質良く製造および提供する為に、電磁コイルの導線を固定出来る導線固定部分を有した電磁コイル保持枠を用い導線固定部分に沿って導線を装着する事により容易に任意形状の電磁コイルが製造でき、更に導線固定部分に導線固定突起を設けることによって、導線の収納拡大が出来、占積率の高い変形電磁コイルを提供する事にある。【選択図】図１
2008218534.tif 000002
【特許請求の範囲】
【請求項１】
任意の形状の電磁コイルに於いて、電磁コイルの導線を固定する導線固定部分を有した電磁コイル保持枠に導線を電磁コイル保持枠の形状に沿って、導線固定部分に導線を装着、固定したことを特徴とする変形電磁コイル。
【請求項２】
変形電磁コイルに使用する電磁コイル保持枠は、絶縁を目的とした紙または樹脂性のシートまたは成形品で構成されていることを特徴とする請求項１の変形電磁コイル。
【請求項３】
電磁コイルを構成する導線は１本または複数本の絶縁線または融着層を有する導線を電磁コイル保持枠に巻回したことを特徴とする請求項１、２の変形電磁コイル。
【請求項４】
導線固定部分には、導線を止める固定突起を持っていることを特徴とする請求項１から３の変形電磁コイル。
【請求項５】
導線を電磁コイル保持枠の導線固定部分に沿わせて装着、固定したことを特徴とする請求項１から４の製造方法。
【発明の詳細な説明】
【技術分野】
【０００１】
本発明は、複雑な任意形状の電磁コイルおよび製造に関する。電磁コイルは一般的に空芯またはボビン巻等のため任意形状の電磁コイルを巻くことは、極めて困難で実用化できなかった。本発明は導線固定部分を有する電磁コイル保持枠に導線を巻回、固定する事により、任意形状の電磁コイルを提供する事にある。
【背景技術】
【０００２】
任意形状の電磁コイルを得る為に、コイル巻後コイル成形する方法があるが成形できる条件が限られている為任意形状の電磁コイルを得ることは極めて難しい。
【０００３】
更に、巻線後成形するためには、成形に必要とする金型、および付随する設備が必要で安価に提供できない等の欠点があった。
【０００４】
例えば特許文献１では、円形状に成形されたコイルを楕円形もしくは長円形に変形し装着スペースに入れ円形状に復元構成する方法が提案されているが、変形できる形状が円形状であること、また変形後装着部分に合わせ復元して固定することあるが、当該提案は特定構造にのみしか適用できないと言う問題があった。本発明は電気・電子機器に必要な電磁コイル形状に合わせた導線固定部分を有した電磁コイル保持枠を電気・電子機器に装着または単独で導線を電磁コイル保持枠に沿って巻回、固定する事により電気・電子機器に合った形状の電磁コイルを安価に、且つ品質の優れた方法で製造および提供するものである。
【０００５】
【特許文献１】特開平６−６１０６４
【発明の開示】
【発明が解決しようとする課題】
【０００６】
空芯巻きでは、巻き冶具の形状によって形状が決まってしまうため根本的に円形状の形状で、凹形状または部分的に凹形状に巻くことは出来ない。またボビン巻きにおいても空芯巻き同様複雑な形状にすることは、非常に難しく一般的でないという問題を抱えている。
【０００７】
本発明は、空芯巻き、ボビン巻きの欠点を排除し任意形状の電磁コイルを高品質で安価に提供することにある。    
【課題を解決するための手段】
【０００８】
本発明は、上記問題を解決し高品質で安価に提供するために、電気・電子機器の要求電磁コイルに合致した形状の絶縁を目的とした紙、または樹脂等で出来た導線固定部分を有する、電磁コイル保持枠を用い、導線固定部分に沿って導線を装着し、導線固定突起に導線を固定または接着剤等で固定したことを特徴とする。また導線は、用途に合わせ単線または複数本の導線を用いても良い。
【０００９】
更に任意形状に巻く方法として、巻線ロボットを用い電磁コイル保持枠の導線固定部分に沿って導線を装着するように巻回し任意形状の電磁コイルとしても良い。
【発明の効果】
【００１０】
本発明の変形電磁コイルは、絶縁を目的とした紙または樹脂で電気・電子機器の要求電磁コイル形状に合わせた電磁コイル固定枠を設けることによって容易に電気・電子機器に合致した任意形状の高品質な電磁コイルを安価に提供できることにある。また電気・電子機器の要求電磁コイル形状に合致でき、さらに導線固定部分に固定突起を設けることにより導線を効率よく収納できるため占積率を大きくする事が出来、電気・電子機器の小型化、効率化に寄与する。
【発明を実施するための最良の形態】
【００１１】
本発明の変形電磁コイルは、絶縁を目的とした紙または樹脂で電気・電子機器の要求形状で出来た電磁コイル保持枠を有し、電磁コイルを構成する単線または複数本の導線を導線固定部分に沿って巻回し導線固定部分に固定または、接着剤等で巻線を接着固定することにより電気・電子機器に必要な形状、またはサイズの電磁コイルが完成し、小型高性能の電気・電子機器用電磁コイルとして提供する。
【実施例１】
【００１２】
図１は、変形電磁コイル１の立体図を示す。１は導線固定部分、２は電磁コイル保持枠、３は導線、４は導線固定または接着固定部分、５は電気・電子機器部を示す。
【００１３】
図２は、変形電磁コイル保持枠１立体図を示す。６導線固定部分、７は電磁コイル保持枠を示す。
【００１４】
図３は、変形電磁コイル２の立体図を示す。８は導線固定部分、９は電磁コイル保持枠、１０は導線、１１は導線固定または接着固定部分を示す
【００１５】
図４は、変形電磁コイル保持枠２立体図を示す。１２は導線固定部分、１３は電磁コイル保持枠を示す。
【００１６】
図５は、変形電磁コイル３の立体図を示す。１４は導線固定部分、１５は導線、１６は電磁コイル保持枠を示す。
【００１７】
図６は、導線固定部分例１の断面図を示す。１７は導線装着部分、１８は装着導線、１９は導線固定突起を示す。
【００１８】
図７は、導線固定部分例２の断面図を示す。２０は導線装着部分、２１は装着導線、２２は導線固定突起を示す。図８は、導線固定部分例３の断面図を示す。２３は導線装着部分、２４は装着導線、２５は導線固定突起を示す。
【００１９】
本発明は、電気・電子機器の要求形状に合わせ図３の電磁コイル保持枠を構成し、単独または機器に固定し、図３の電磁固定枠に具備した導線固定部分に導線を沿わせる事により変形した電磁コイルが完成した。電磁コイルの導線を例えば図７の導線固定部分に、隙間なく押し込むことによって占積率を高める事が出来る。導線は導線固定突起によって保持した後、熱または接着剤等で固定する事によって任意形状の電磁コイルを容易に製造する事が出来た。
【産業上の利用可能性】
【００２０】
本発明の任意形状の電磁コイルは、電気・電子機器の要求形状に合わせて巻回が出来、あらゆる電気・電子機器の電磁コイルとして活用できる。電気・電子機器の必要スペース、形状に合わせた電磁コイル保持枠を用い電磁コイルの保持枠に具備された導線固定部分に沿って巻回、固定できるため容易に目的に合った変形電磁コイルが安価に完成し電気・電子機器の小型化、高性能化に寄与する。
【図面の簡単な説明】
【００２１】
【図１】変形電磁コイル１の立体図
【図２】変形電磁コイル保持枠１の立体図
【図３】変形電磁コイル２の立体図
【図４】変形電磁コイル保持枠２の立体図
【図５】変形電磁コイル３の立体図
【図６】導線固定部分例１の断面図
【図７】導線固定部分例２の断面図
【図８】導線固定部分例３の断面図
【符号の説明】
【００２２】
１、６、８、１２，１４      導線固定部分
２，７、９、１３，１６      電磁コイル保持枠
３，１０、１５              導線
４、１１                    導線固定または接着固定部分
５、                        電気・電子機器部
１７、２０、２３            導線装着部分
１８、２１、２４            装着導線
１９、２２，２５            導線固定突起
【図１】
2008218534.tif 000003
【図２】
2008218534.tif 000004
【図３】
2008218534.tif 000005
【図４】
2008218534.tif 000006
【図５】
2008218534.tif 000007
【図６】
2008218534.tif 000008
【図７】
2008218534.tif 000009
【図８】
2008218534.tif 000010